(57)【要約】【課題】表示不良と品質低下が防止された電気光学装置と、このような電気光学装置を備えた電子機器とを提供する。【解決手段】一対の基板と、一対の基板間に配置された電気光学材料層と、電気光学材料層と一対の基板のうちの一方の基板との間に設けられたカラーフィルタ層３２と、一方の基板とカラーフィルタ層３２との間に設けられたバリア層２６と、バリア層２６とカラーフィルタ層３２との間に設けられ、バリア層２６とカラーフィルタ層３２との間隔を一定に保持する樹脂層２８と、樹脂層２８の電気光学材料層側に電気光学材料層の周囲を囲むように設けられたシール材２４と、樹脂層２８の端面を覆って、樹脂層２８のシール材２４に囲まれた領域の外側に配置された面を少なくとも被覆しているガスバリア層３０と、を備えていることを特徴とする。【選択図】図２
2009093058.tif 000002
【特許請求の範囲】
【請求項１】
一対の基板と、
前記一対の基板間に配置された電気光学材料層と、
前記電気光学材料層と前記一対の基板のうちの一方の基板との間に設けられたカラーフィルタ層と、
前記一方の基板と前記カラーフィルタ層との間に設けられたバリア層と、
前記バリア層と前記カラーフィルタ層との間に設けられ、前記バリア層と前記カラーフィルタ層との間隔を一定に保持する樹脂層と、
前記樹脂層の前記電気光学材料層側に前記電気光学材料層の周囲を囲むように設けられたシール材と、
前記樹脂層の端面を覆って、前記樹脂層の前記シール材に囲まれた領域の外側に配置された面を少なくとも被覆しているガスバリア層と、を備えていることを特徴とする電気光学装置。
【請求項２】
前記ガスバリア層は、前記樹脂層の前記電気光学材料層に対向する面に形成されていることを特徴とする請求項１に記載の電気光学装置。
【請求項３】
前記ガスバリア層が、前記樹脂層の表面を覆って前記一方の基板の全面に形成されていることを特徴とする請求項２に記載の電気光学装置。
【請求項４】
前記ガスバリア層は、無機材料によって形成されていることを特徴とする請求項１に記載の電気光学装置。
【請求項５】
前記ガスバリア層は、絶縁性を備えることを特徴とする請求項４に記載の電気光学装置。
【請求項６】
前記電気光学装置は、少なくとも前記樹脂層の前記シール材に囲まれた領域の外側に配置された面と、前記樹脂層の端面と、を被覆する前記ガスバリア層の一部分を覆う保護膜を備えていることを特徴とする請求項１から請求項５のいずれか１項に記載の電気光学装置。
【請求項７】
前記保護膜は、前記ガスバリア層の表面を覆って前記樹脂層の全面に形成されていることを特徴とする請求項６に記載の電気光学装置。
【請求項８】
前記樹脂層は、前記一方の基板の前記電気光学材料層側の面の外周よりも内側に形成されていることを特徴とする請求項１に記載の電気光学装置。
【請求項９】
前記樹脂層は、光硬化性樹脂で形成されていることを特徴とする請求項８に記載の電気光学装置。
【請求項１０】
前記電気光学材料は液晶材料であることを特徴とする請求項１に記載の電気光学装置。
【請求項１１】
請求項１から請求項１０のいずれか１項に記載の電気光学装置を備えることを特徴とする電子機器。
【発明の詳細な説明】
【技術分野】
【０００１】
本発明は、電気光学装置および電子機器に関するものである。
【背景技術】
【０００２】
近年、複数の視点で異なる画像を見ることができる多重画像表示装置が注目されており、例えば、両眼視差を利用した立体画像表示装置や、運転席と助手席で異なる情報を見ることができるカーナビゲーションシステム等への応用開発が成されている。
【０００３】
多重画像表示の一例として、所定の方向への画像を遮るバリア層を用いて画像を分離し、２視点表示を行う場合について説明する。まず異なる観察者視点に対応した第１観察者用画像と第２観察者用画像を用意し、例えば縦ストライプ状に交互に表示する。次に、表示画像を表示画像と同一周期のバリア層に通すと、例えば第１観察者側では、不要な第２観察者用画像がバリア層で遮られ、必要な第１観察者用画像がバリア層の透光部を透過することにより、第１観察者には第１観察者用画像が視認可能となる。第２観察者側でも同様に第２観察者用画像が視認可能となる。このように、縦ストライプ状に交互に表示された画像はバリア層の機能により元の２つの画像に分離され、分離されたそれぞれの画像を第１観察者と第２観察者が視認することで、観察者ごとに異なる画像を認識させることができる。このような２視点表示が可能な表示装置を備えたカーナビゲーションシステムでは、例えば第１観察者である運転手には道路情報を、第２観察者である助手席に乗車している者にはテレビ画像を、それぞれ提供することができる。
【０００４】
図８には、バリア層を用いた２視点表示装置の概略図を示す。ここでは液晶表示装置を想定する。図８（ａ）に示すように、表示画面Ｗには、第１観察者Ｈ１用の画像Ｇ１と第２観察者Ｈ２用の画像Ｇ２とが１列毎に交互に表示されている。画面Ｗと観察者Ｈ１，Ｈ２との間には、画像Ｇ１と画像Ｇ２とを空間的に分離するバリア層Ｂが距離Ｌ１だけ離間させて配置されている。バリア層Ｂは、画像Ｇ１と画像Ｇ２に対応した複数の開口部を有する遮光膜であり、画像Ｇ１が第２観察者Ｈ２へ導かれるのを防ぐと共に、画像Ｇ２が第１観察者Ｈ１へ導かれるのを防ぐ。バリア層Ｂには、縦ストライプ状のスリットＳが設けられており、このスリットＳを介して画像Ｇ１は第１観察者Ｈ１へ、画像Ｇ２は第２観察者Ｈ２へ導かれ、それぞれの観察者により別々の画像が認識される。第１観察者Ｈ１の観察方向と第２観察者Ｈ２の観察方向は、角度θ１だけ異なる。
【０００５】
図８（ｂ）には、図７（ａ）で示した２視点表示装置のバリア層Ｂと表示画面Ｗとの離間距離のみを変更し、距離Ｌ２だけ離間させた構成を示す。距離Ｌ２は距離Ｌ１よりも広い離間距離である。この場合、第１観察者Ｈ１の観察方向と第２観察者Ｈ２の観察方向の違いは角度θ２となり、距離Ｌ１だけ離間させた場合の角度θ１よりも角度が小さくなる。
【０００６】
このように、バリア層Ｂと表示画面Ｗとの離間距離によって画像を導く方向が変化するため、２視点表示装置の製造においては離間距離の制御は非常に重要である。また、一般に２視点表示装置では、それぞれの観察者にかかる観察方向の違いの角度が広いため離間距離を例えば１００μｍ程度に狭く制御する必要がある。
【０００７】
そこで特許文献１では、バリア層上に樹脂製の距離調整層を形成し、この距離調整層の厚みで離間距離を制御する方法が提案されている。このように樹脂材料で形成された層にて離間距離を制御することは、層厚を制御することが容易であることに加えて、表示装置を軽量化することや、製造コストを低減すること、生産性を向上させること等にも有効であると考えられる。また、バリア層を有する表示装置では、基板とバリア層との間に段差が生じているため、距離調整層を形成すると基板とバリア層との間の段差を平坦化することができ、層間の密着性を向上させる上で有利であると考えられる。
【特許文献１】特開２００５−３２１４４９号公報
【発明の開示】
【発明が解決しようとする課題】
【０００８】
しかしながら、一般に樹脂材料はガラス等に比べてガス透過性が高いため、特許文献１で提案されている方法では、樹脂材料で形成された距離調整層を介して水蒸気や酸素等のガスが液晶層に浸透するおそれがある。浸透した水分やガスは液晶層に溶け込むが、温度上昇等で液晶層に溶け込んだガスが過飽和となった際には、液晶層に気泡を生じて表示不良を生じさせる。また、浸透したガスが液晶層を劣化させてしまうこともある。
【０００９】
一方、通常の構成の液晶表示装置では、液晶層の周囲には透湿性が低く防水性に富んだシール材が配置されている。したがって、このシール材で囲まれた領域の内部に距離調整層を配置すると、距離調整層での離間距離の制御と距離調整層からの水分の浸透防止とを両立させることができるということが考えられる。
【００１０】
しかしながら、この場合には他の問題が顕在化する。一般に、シール材には、液晶層を挟持する基板間に所望の液晶層の厚み（セルギャップ）に等しい直径を有する球状のスペーサが混合されている。そのため、シール材によって基板を貼り合わせる場合には、シール材による基板同士の貼り合わせと、スペーサによるセルギャップ管理を同時に行っている。したがって、距離調整層をシール材で囲まれた領域の内部に配置しようとする場合には、スペーサの直径は離間距離にセルギャップを加えた長さ以上である必要がある。
【００１１】
通常、液晶層のセルギャップは数μｍ程度であり、バリア層と表示画面との離間距離（１００μｍ程度）とは大きな差がある。離間距離とセルギャップの両方に対応した直径のスペーサを異なる設計の多重画像表示装置ごとに用意し、且つ液晶層のセルギャップを均一に保って表示画像の画質を担保することは非常に困難である。したがって、シール材は距離調整層の上に形成する必要がある。
【００１２】
本発明は、上記従来技術の問題点に鑑み成されたものであって、水蒸気等のガスが液晶層などの電気光学材料層に浸透することを防止することによって、表示不良と品質低下が防止された電気光学装置と、このような電気光学装置を備えた電子機器とを提供することを目的とする。
【課題を解決するための手段】
【００１３】
上記の課題を解決するため、本発明の第１の電気光学装置は、一対の基板と、前記一対の基板間に配置された電気光学材料層と、前記電気光学材料層と前記一対の基板のうちの一方の基板との間に設けられたカラーフィルタ層と、前記一方の基板と前記カラーフィルタ層との間に設けられたバリア層と、前記バリア層と前記カラーフィルタ層との間に設けられ、前記バリア層と前記カラーフィルタ層との間隔を一定に保持する樹脂層と、前記樹脂層の前記電気光学材料層側に前記電気光学材料層の周囲を囲むように設けられたシール材と、前記樹脂層の端面を覆って、前記樹脂層の前記シール材に囲まれた領域の外側に配置された面を少なくとも被覆しているガスバリア層と、を備えていることを特徴とする。
【００１４】
この構成によれば、樹脂層の端面およびシール材に囲まれた領域の外側に配置されている樹脂層の上面にはガスバリア層が形成されている。そのため、基板上に形成されたバリア層を覆って樹脂層を設け、この樹脂層の厚みによってバリア層と樹脂層上に形成されるカラーフィルタ層との間隔（離間距離）を制御しようとする場合に、外部環境の水蒸気や酸素などのガスが樹脂層端面等から樹脂層に浸透し、樹脂層を介して電気光学材料層へ浸透することを防ぐことができる。したがって、外部環境から浸透する水蒸気等のガスに起因した品質低下を防ぎ、信頼性の高い電気光学装置を提供することができる。
【００１５】
本発明においては、前記ガスバリア層は、前記樹脂層の前記電気光学材料層に対向する面に形成されていることが望ましい。
樹脂層の端面等にガスバリア層を形成していたとしても、樹脂層端面等に形成されたガスバリア層が破損した場合には、樹脂層への水蒸気等のガスの浸透を防ぐことが出来なくなる。しかし本構成によれば、電気光学材料層に平面的に重なる領域に形成された第２のガスバリア層の機能により、樹脂層に浸透したガスの電気光学材料層への浸透を防止することが出来る。したがって、より信頼性の高い電気光学装置とすることができる。
【００１６】
本発明においては、前記ガスバリア層が、前記樹脂層の表面を覆って前記一方の基板の全面に形成されていることが望ましい。
この構成によれば、ガスバリア層がいくつもの部分に分かれておらず一体となって形成されるため、より強固な層を形成することができる。また、ガスバリア層の形成においてパターニングが不要であるためガスバリア層の形成工程が簡素化できる。そのため、容易に信頼性の高いガスバリア層を備えた電気光学装置を提供することが出来る。
【００１７】
本発明においては、前記ガスバリア層は、無機材料によって形成されていることが望ましい。
無機材料はガスの透過性が極めて低いため、ガスバリア層として必要なガス遮断性を十分に確保し、優れたガスバリア層を形成することができる。
【００１８】
本発明においては、前記ガスバリア層は、絶縁性を備えることが望ましい。
この構成によれば、装置が備える他の電極との短絡をすることなく表示品質を維持することができる。
【００１９】
本発明においては、前記電気光学装置は、少なくとも前記樹脂層の前記シール材に囲まれた領域の外側に配置された面と、前記樹脂層の端面と、を被覆する前記ガスバリア層の一部分を覆う保護膜を備えていることが望ましい。
ガスバリア層と樹脂層とは互いに異なる材料で形成されており、熱膨張率や表面硬度等が異なる。そのため環境条件が変化すると、例えば熱膨張率の差により形成したガスバリア層が樹脂層からはがれたり、ひび割れが生じたりするおそれがある。また、製造や使用の過程において何かがガスバリア層に接触しガスバリア層が破損することも考えられる。しかしこの構成によれば、ガスバリア層上に形成した保護膜により破損を防ぐことが出来るため、ガスバリア層の品質を維持することで品質低下を防ぎ、信頼性の高い電気光学装置を提供することができる。
【００２０】
本発明においては、前記保護膜は、前記ガスバリア層を覆って前記樹脂層の全面に形成されていることが望ましい。
この構成によれば、保護膜がいくつもの部分に分かれておらず一体となって形成されるため、より強固にガスバリア層を保護することができる。また、保護膜の形成においてパターニングが不要であるため保護膜の形成工程が簡素化できる。そのため、容易に高品質の電気光学装置とすることが出来る。
【００２１】
本発明においては、前記樹脂層は、前記一方の基板の前記電気光学材料層側の面の外周よりも内側に形成されていることが望ましい。
一般に、画像表示装置が備える基板は、一枚の大きな原板の上に幾つもの基板構成を形成した後に所定の大きさの基板に切り分ける多面取りで作成される。そのため、原板上に基板構成を形成する際に基板の端部に重なる箇所にまで樹脂層を形成すると、たとえ樹脂層上にガスバリア層を形成していたとしても、原板の分断において樹脂層やガスバリア層も切断することになる。そのような場合には、切断時にガスバリア層が破損し、樹脂層にはガスバリア層を形成していない新たな端面（切断面）が形成されるため、切断面からガスが浸透することが考えられる。しかし本構成によれば、樹脂層は基板の面の内側に形成されているため、多面取り時にガスバリア層が破損することなく高品質の電気光学装置を提供することができる。
【００２２】
本発明においては、前記樹脂層は、光硬化性樹脂で形成されていることが望ましい。
この構成によれば、容易に多面取りでの原板分断箇所を避けて樹脂層を形成することができ、信頼性の高い電気光学装置を提供することができる。
【００２３】
本発明においては、前記電気光学材料は液晶材料であることが望ましい。
電気光学材料に液晶材料を用いた電気表示装置では、水蒸気等のガスの浸透により表示性能が劣化する程度が大きいが、本発明により高品質の液晶表示装置とすることができる。
【００２４】
本発明の電子機器は、上述の電気光学装置を備えていることを特徴とする。
この構成によれば、表示不良が少なく高品質であり且つ長寿命である電子機器とすることができる。
【発明を実施するための最良の形態】
【００２５】
［第１実施形態］
以下、図１〜図３を参照しながら、本発明の第１実施形態に係る電気光学装置について説明する。ここでは電気光学材料として液晶材料を用いた液晶表示装置について説明する。なお、以下の全ての図面においては、図面を見やすくするため、各構成要素の膜厚や寸法の比率などは適宜異ならせてある。
【００２６】
図１は液晶表示装置（電気光学装置）１の配線構造を示すブロック図である。液晶表示装置１は、走査信号を供給する走査線１００と、画像信号を供給する信号線１１０と、走査線と同数であり並列に配置されている容量線１２０と、を備えている。
【００２７】
信号線１１０は走査線１００および容量線１２０と交差して配置されており、走査線１００と信号線１１０の交点にはサブ画素を形成している。このサブ画素は、液晶素子６０と、液晶素子６０の駆動を制御するための薄膜トランジスタ（Thin Film Transistor：以下、ＴＦＴ）素子である駆動用ＴＦＴ７０と、液晶素子６０で表示された画像を安定させるための保持容量８０と、を備えている。
【００２８】
サブ画素が備える駆動用ＴＦＴ７０は、ゲート部に走査線１００が接続し、ソース部に信号線１１０が接続し、ドレイン部に液晶素子６０の画素電極が接続している。また、サブ画素Ｐが備える保持容量８０は、駆動用ＴＦＴ７０のドレインと容量線１２０との間に設けられている。
【００２９】
サブ画素Ｐが備える液晶素子６０では、画素電極が駆動用ＴＦＴ７０のドレインと接続され、共通電極が走査線１２０と接続されている。
【００３０】
このような液晶表示装置１では、走査線１００に対して走査信号Ｇ１、Ｇ２、…、Ｇｍが所定のタイミングでパルス的に線順次で印加される。これらの走査信号が走査線１００を介して駆動用ＴＦＴ７０に伝わると、駆動用ＴＦＴ７０が一定期間だけ順次オンとなる。一方で、信号線１１０に対してはデータ信号Ｓ１、Ｓ２、…Ｓｎが、この順もしくは所定のグループ毎に供給される。駆動用ＴＦＴ７０がオンのときに信号線１１０から供給されるデータ信号は、駆動用ＴＦＴ７０を介して画素電極に伝わり、データ信号は液晶素子６０で一定期間保持される。液晶素子６０ではデータ信号の電位に応じて液晶分子が駆動し、データ信号に応じて光を変調させ、階調表示を行う。それと同時に、供給されるデータ信号は保持容量８０にも供給されるため、データ信号がリークすることが防止され、液晶素子６０は画像を安定に表示する。
【００３１】
次に、液晶表示装置１の構成について図２を用いて説明する。図２（ａ）は、本実施形態の液晶表示装置１を示す概略断面図であり、（ｂ）は概略平面図である。
【００３２】
図２（ａ）に示すように、本実施形態の液晶表示装置１は、基板２０Ｌと、基板２０Ｌと対向配置された素子基板２２と、基板２０Ｌと素子基板２２との間に挟持された液晶層３４と、液晶層３４の周囲を囲むように基板２０Ｌと素子基板２２との間に設けられ、基板２０Ｌと素子基板２２を貼り合わせるシール材２４とを備えている。この液晶表示装置１は、素子基板２２側から照明光が照射される構成となっている。以下の説明においては、液晶層３４から基板２０Ｌ側の方向を下側、素子基板２２側の方向を上側として各部材の位置を示す。
【００３３】
また、通常知られている製造工程では、基板２０Ｌと素子基板２２と一部に隙間を開けたシール部２４ａとに囲まれた空間に液晶層３４を構成する液晶分子を注入し、その後シール部２４ａの隙間を封止材２４ｂで閉じる。この封止材２４ｂはシール部２４ａと一体となってシール材２４の一部を構成し、液晶層３４が漏れ出さないようにする機能を備える。本実施形態では上記のような製造方法で液晶層を製造しているものとし、また、本実施形態の説明においては、「シール材」とはシール材と封止材とを合わせて表現しているものとする。
【００３４】
基板２０Ｌは、光透過性を備えた基板本体（基板）２０を備えている。基板本体２０を形成する材料には、例えばガラス、石英ガラス、窒化ケイ素等の無機物を用いることができる。また、基板本体２０には、アクリル樹脂、ポリカーボネート樹脂等の有機高分子（樹脂）を用いることも可能ではあるが、その場合少なくとも基板本体２０の液晶層３４側の面が、好ましくは基板本体２０の表面全面が無機材料で覆われていることが望ましい。
【００３５】
基板本体２０の液晶層３４側の面上には、表示する画像に応じた所定のピッチで遮光部および透光部を有するバリア層２６が形成されている。バリア層２６は、たとえば黒色顔料を混ぜたアクリル樹脂などを基板本体２０上に塗布して成膜し、その後フォトリソグラフィ方等でパターニングすることにより透光部となる部分を除去することで形成することができる。この他にもアルミニウム（Ａｌ）やクロム（Ｃｒ）等を材料に用い蒸着法等で薄膜を形成し、同様にパターニングすることで形成することもできる。
【００３６】
また、基板本体２０上には、バリア層２６を覆って透光性を備えた樹脂層２８が形成されている。樹脂層２８は、バリア層２６の透光部を埋めて形成されている。また、樹脂層２８の基板本体２０と対向する面の反対側の面は、基板本体２０のバリア層２６が形成されている面と略平行になっている。この樹脂層２８は、バリア層２６と後述のカラーフィルタ層との間隔（離間距離）を一定に保つ機能を備えている。また、バリア層２６が備える遮光部と透光部との凹凸を埋めて平坦化する機能も兼ね備えている。本実施形態では基板本体２０表面からの樹脂層２８の厚みは８０μｍである。
【００３７】
この樹脂層２８の形成材料としては、例えばウレタン樹脂、エポキシ樹脂、ポリイミド樹脂、ポリエチレンテレフタレート樹脂、ナイロン樹脂、アクリル樹脂、ポリエチレン樹脂、ポリプロピレン樹脂、ポリエチレンナフタレート樹脂などを用いることができる。これらは複数混合させて形成しても良い。また、これらの中でも光硬化性を備えた樹脂は、樹脂層の形成時間の短縮や位置精度の向上が可能であり好ましい。本実施形態では光硬化性のアクリル樹脂を用いて形成している。
【００３８】
また、樹脂層２８を形成するこれらの材料に、必要に応じて樹脂層２８の硬度を調整するための架橋剤や、硬質材料を添加しても構わない。架橋剤としては、例えばメラミン系やグアナミン系の架橋剤を挙げることができる。硬質材料としては、ポリマー微粒子などの有機物やガラス微粒子などの無機物を挙げることができる。これら硬質材料は添加した結果として樹脂層２８の透明性が低下しない程度に加えることは言うまでもない。
【００３９】
樹脂層２８の上には、樹脂層２８の全面を覆ってガスバリア層３０が形成されている。ガスバリア層３０は、樹脂層２８を覆いつつ基板本体２０の一端から他端に至るまで形成されている。このガスバリア層３０の形成材料としては、例えば絶縁性を備えた無機物である酸化ケイ素、窒化ケイ素、酸窒化ケイ素、酸化チタン、酸化アルミニウム、酸化ジルコニウムなどを用いることができる。このガスバリア層３０と基板本体２０とにより樹脂層２８は周囲を覆われ包み込まれている。本実施形態では酸化ケイ素にてガスバリア層３０を形成している。
【００４０】
ガスバリア層３０の上面には平坦化層３６が形成されている。平坦化層３６は、樹脂層２８によって埋められたバリア層２６による凹凸を更に平坦化する機能を有する。平坦化層３６の形成材料としては、前述の樹脂層２８の形成材料と同様の材料を挙げることができる。本実施形態の平坦化膜３６の厚みは約１μｍである。
【００４１】
平坦化層３６の上面には、入射光を赤色、緑色、青色に変調するカラーフィルタ３２ａと、カラーフィルタ３２ａの間と端部に配置されたブラックマトリクス３２ｂと、を備えたカラーフィルタ層３２が形成されている。これらカラーフィルタ３２ａを透過した各色の光を混色することでフルカラー表示が可能となる。ブラックマトリクス３２ｂの形成材料には、黒色顔料を混ぜたアクリル樹脂や、低反射クロム等を用いることができる。本実施形態では、ブラックマトリクス３２ｂは黒色顔料を混ぜたアクリル樹脂で形成している。
【００４２】
カラーフィルタ層３２の上には、カラーフィルタ層３２の全面を覆って共通電極３８が形成されている。共通電極３８は、ＩＴＯ（Indium Thin Oxide:インジウム錫酸化物）等の光透過性を備えた導電性材料にて形成されている。
【００４３】
共通電極３８の上には、共通電極３８を覆って配向膜４０が形成されている。配向膜４０は、例えばポリイミドなどの有機材料やシリコン酸化物などの無機材料で構成されており、無印加状態において液晶層３４に含まれる液晶分子を一定方向に配列させる役割を備える。本実施形態では、配向膜４０はポリイミドの形成材料を塗布してこれを乾燥・硬化させた後、その上面に所定の方向にラビング処理を施すことによって得られる。
【００４４】
その他、基板２０Ｌには偏光板や必要に応じて各層を接着するための接着層などがあるが図示を省略している。
【００４５】
また素子基板２２は、光透過性を備えガラス、石英ガラス、窒化ケイ素等で形成される基板本体を備えている。また、素子基板２２には、図１に示した不図示の駆動用ＴＦＴや走査線、信号線、容量線などの各種の配線、更には画素電極、配向膜、偏光板などを備えている。
【００４６】
基板２０Ｌと素子基板２２との間には液晶層３４が挟持され、この液晶層３４の周囲にはシール材２４が配置され基板２０Ｌと素子基板２２とを貼り合わせている。シール材２４は、透湿性が低く接着性に優れた樹脂材料で形成されており、本実施形態ではエポキシ樹脂で形成されている。エポキシ樹脂には熱硬化性のものや光硬化性のものがあり、シール材２４にはいずれも用いることができるが、光硬化性のエポキシ樹脂は硬化時間が短く硬化収縮が少ないなど製造上有利な点が多いためよりシール材２４の形成材料としてより好ましい。シール材２４は、基板２０Ｌと素子基板２２との離間距離を一定に保つ機能を備えた不図示のスペーサを含んでいる。このシール材２４は、基板２０Ｌとの接着部分（シール材２４の下側の端部）において平坦化層３６の端部と重なって配置している。カラーフィルタ層３２と共通電極３８と配向膜４０とは、シール材２４で囲まれた領域の内部に（平坦化層３６と液晶層３４に周囲を囲まれて）配置されている。本実施形態では基板２０Ｌと素子基板２２との離間距離は略４μｍである。
【００４７】
図２（ｂ）には、液晶表示装置１の素子基板２２側からの平面図を示す。ここでは説明を容易にするために、素子基板２２側の構成を省略して図示している。
【００４８】
液晶表示装置１が備える平面視矩形の基板本体２０の上には、平面視略矩形の樹脂層２８が形成されている。樹脂層２８は、樹脂層２８が形成されている基板本体２０の一辺の中央部に接し、残る三辺には接しないように形成されている。
【００４９】
樹脂層２８の上には、図２（ａ）に示す液晶層３４が配置され、液晶層３４の周囲を囲むようにシール材２４が形成されている。シール材２４は、両端が近接はしているが繋がっておらず開環部を備えるシール部２４ａと、開環部に配置されるシール部２４ａの両端同士を接続しシール部２４ａと一体となって液晶層３４を封止する封止材２４ｂとを備える。シール部２４ａの備える開環部および封止材２４ｂは基板本体２０の一辺に接する樹脂層２８上に形成されており、シール部２４ａの両端部は基板本体２０の一辺に接して形成されている。シール部２４ａの開環部は、製造工程において液晶層３４を構成する液晶分子を注入する注入口として使用され、液晶分子３４を注入後、封止材２４ｂにより封止される。封止材２４ｂはシール部２４ａの開環部に配置されて開環部を接続し、更にシール部２４ａと樹脂層２８の基板本体２０の一辺に接する端部を覆って形成されている。したがって、樹脂層２８の基板本体２０の一辺に接する端部は、封止材２４ｂにより更に覆われることとなり、強固に水分の浸入を防ぐことが出来る構造となっている。
【００５０】
更に樹脂層２８の上には、液晶層３４と平面的に重なる領域に平坦化層３６が形成されている。平坦化層３６は、外周部がシール材２４と平面的に重なって形成されている。
【００５１】
更に平坦化層３６の上には共通電極３８が配置されている。共通電極３８は、液晶層３４の配置されている領域に平面的に重なる平面視矩形の主要部３８ａと、主要部３８ａの四隅から樹脂層２８の四隅近傍にまで延在する４つの接続部３８ｂと、を備えている。
【００５２】
樹脂層２８の四隅に配置されている各々の接続部３８ｂの端部では、それぞれ導電接続材料４２が平面的に重なって配置され接続されている。導電接続材料４２は、通常「銀点」と呼ばれている部材であり、一対の基板間を電気的に導通させる機能を有する。この導電接続材料４２は、金属などの導電性材料で表面を被覆された樹脂で形成された部材であり、液晶表示装置１のセルギャップと略同じ直径を備えた球形を備えている。また、シール材２４で囲まれた領域（液晶層３４が配置されている領域）の外側であって、平面視略矩形の樹脂層２８に１つずつ、接続部３８ｂに重なって計４箇所配置されている。このように、シール材２４および導電接続材料４２は、樹脂層２８の上に形成されている。なお、ここでは導電接続材料４２は４箇所に配置されているが、導電接続材料４２の機能は基板間の導通を確保することであるため、少なくとも１箇所形成されており基板間に導通が得られていれば良い。
【００５３】
共通電極３８の上には、図２（ａ）に示す配向膜４０や素子基板２２等が配置されている。以上のように液晶表示装置１が構成されている。
【００５４】
以上のような構成の液晶表示装置（電気光学装置）１によれば、樹脂層２８の端面にはガスバリア層３０が形成されている。そのため、樹脂層２８を設け、樹脂層２８の厚みでバリア層２６とカラーフィルタ層３２との間隔（離間距離）を調整する場合において、外部環境の水蒸気や酸素などのガスが、樹脂層２８の端面から浸透し、樹脂層２８を介して液晶層３４へ浸透することを防ぐことができる。したがって、外部環境から浸透する水蒸気等のガスに起因した品質低下を防ぎ、信頼性の高い電気光学装置１を提供することができる。
【００５５】
また、本実施形態では、ガスバリア層３０は樹脂層２８の全面を覆って形成されていることとしている。そのため、例えば樹脂層２８の端面に形成されたガスバリア層３０が破損したとしても、樹脂層２８の液晶層３４に平面的に重なる面に形成されているガスバリア層３０で液晶層３４への水蒸気等の浸透を防ぐことが出来る。また、ガスバリア層３０が全面に一体となって形成されているため、ガスバリア層３０の形成においてパターニングが不要である上、強固なガスバリア層３０とすることができる。そのため、容易に信頼性の高いガスバリア層３０を備えた電気光学装置１を提供することができる。
【００５６】
また、本実施形態では、ガスバリア層３０は酸化ケイ素で形成されていることとしている。ガスバリア層３０にガスの透過性が極めて低い無機材料である酸化ケイ素を用いているため、優れたガスバリア層３０を形成することができる。また、酸化ケイ素は絶縁性を備えているため、電気光学装置１が備える他の電極との短絡することなく、表示品質を維持することができる。
【００５７】
また、本実施形態では、樹脂層２８は光硬化性を備えたアクリル樹脂で形成することとしている。そのため、容易に多面取りでの原板分断時に切断される箇所を避けて樹脂層２８を形成することができ、信頼性の高い電気光学装置を提供することができる。
【００５８】
また、本実施形態では、電気光学材料に液晶材料を用いている。液晶材料を用いた液晶表示装置では、液晶層３４への水蒸気等のガスの浸透により表示性能が劣化する程度が大きいが、本発明により高品質の液晶光学装置とすることができる。
【００５９】
なお、本実施形態においては、ガスバリア層３０は樹脂層２８の全面を覆って形成されていることとしているとしたが、樹脂層２８を介した外部環境からのガスの浸透を防ぐという発明の趣旨から、少なくとも樹脂層２８の端面からシール材２４に接するに至るまでの面にガスバリア層３０を形成しておくこととしても構わない。
【００６０】
また、本実施形態においては、ガスバリア層３０は無機材料である酸化ケイ素で形成することとしたとしたが、有機材料であっても例えばエポキシ樹脂やポリイミド樹脂など透湿性が低い樹脂材料を使用することも可能である。樹脂材料を用いることとすれば、成型加工が容易となる。
【００６１】
また、本実施形態においては、ガスバリア層３０が絶縁性を備えていることとしたが、導電性を備えた材料にてガスバリア層を形成することとしても構わない。その場合は、他の配線との短絡を防ぐために絶縁材料を用いて別途絶縁を施すことが望ましい。
【００６２】
また、本実施形態においては、電気光学材料に液晶材料を用いることとしたが、液晶材料の以外にも有機ＥＬ材料や電気泳動材料などを用いることとしても構わない。また、カラーフィルタ層３２を設けずに白黒画像を表示することとしても良い。
【００６３】
また、本実施形態においては、２視点で２つの異なる画像を観察可能であることとしたが、更に多くの視点で異なる画像を観察可能であることとしても良い。例えば、４視点から４つの異なる画像を観察可能としてもよい。
【００６４】
また、本実施形態においては、樹脂層２８、シール部２４ａの両端部およびシール部２４ａの備える開環部が基板本体２０の一辺と接して形成されており、封止材２４ｂで封止されているが、樹脂層２８は基板本体２０のいずれの辺にも接さず、樹脂層２８が形成されている面の外周よりも内側に形成されることとしても良い。その場合、基板２０Ｌを多面取りで形成した場合に、樹脂層２８上に形成されるガスバリア層３０が破損してガスバリア層３０に覆われていない樹脂層２８の新たな端面が露出することがない。そのため、高品質の電気光学装置１とすることができる。
【００６５】
しかしこの場合には、樹脂層２８と同様に、樹脂層２８上に形成されるシール材２４も基板本体２０のいずれの辺にも接さずに形成される。シール部２４ａの開環部が基板本体２０の一辺に接していないことから、この開環部を液晶分子の注入口として用いる場合に液晶分子の注入が困難になるおそれがある。そこで、このような構成の場合には、シール部２４ａを形成する際にシール部２４ａの端部の樹脂量を多く配置し、樹脂層２８の端部と基板本体２０の一辺との離間部を埋めて形成することが望ましい。また、ガスバリア層３０を形成した樹脂層２８の端部と基板本体２０の一辺との離間部に新たな樹脂層を形成し、新たに形成した樹脂層の上にシール材２４を延在して形成することとしても良い。
【００６６】
また、本実施形態においては、シール材２４はシール部２４ａと封止材２４ｂとを備えており、シール部２４ａが備える開環部から液晶分子を注入した後に封止材２４ｂで閉じる構成としているが、シール部２４ａが平面視で閉環しており、液晶分子を注入する開環部（注入口）を備えない構成としても良い。この構成では、たとえばシール材２４は封止材２４ｂを用いずシール部２４ａのみで形成される。その場合には、例えば減圧環境下にて、一方の基板上にシール材２４を配置し、液晶層３４に配置される液晶分子に略等しい量の液晶分子を配置し、他方の基板を貼り合わせる工程を行うことで液晶層３４を形成することができる。この場合にも、ガスバリア層３０の破損を抑制するために、樹脂層２８は基板本体２０のいずれの辺にも接さず、樹脂層２８が形成されている面の外周よりも内側に形成されることが望ましい。
【００６７】
また、本実施形態は、樹脂層２８を介した外部環境からのガスの浸透を防ぐという発明の趣旨から、幾つもの変形例が考えられる。以下、本実施形態の変形例について説明する。図３の（ａ）から（ｃ）は変形例を示す断面図である。図においては、一方側（左側）の端部を省略している。
【００６８】
図３（ａ）に示す電気光学装置２は、樹脂層２８の上に平坦化層３６を形成した後にガスバリア層３０を形成したものである。平坦化層３６はシール材２４の下側に重なるまで延在している。ガスバリア層３０が樹脂層２８の端面を覆っているためガスの浸透を防ぐことができる。
【００６９】
図３（ｂ）に示す電気光学装置３は、図３（ａ）で示した電気光学装置２の平坦化層３６が基板本体２０の端部にまで延在して形成されている例である。この場合には平坦化層３６の端部が外部に露出しているため、平坦化膜３６の端部から平坦化膜３６を介して外部環境のガスが樹脂層２８に浸透することが想定される。しかし、ガスバリア層３０は装置内部にも形成されているため、平坦化膜３６を介して浸透するガスは液晶層３４に至ることが無い。
【００７０】
図３（ｃ）に示す電気光学装置４は、カラーフィルタ層３２を覆って第２平坦化膜５０を形成したものである。第２平坦化膜５０はカラーフィルタ層３２の上面を平坦化する機能を備え、シール材２４の下側に重なるまで延在している。ガスバリア層３０が樹脂層２８の端面を覆っているためガスの浸透を防ぐことができる。
【００７１】
いずれにおいても、ガスバリア層３０によって外部環境からの水蒸気や酸素などのガスの浸透を効率的に防ぎ表示性能の低下を防ぐことができるため、高品質の電気光学装置とすることができる。
【００７２】
［第２実施形態］
図４から図６は、本発明の第２実施形態に係る電気光学装置の説明図である。本実施形態の電気光学装置は、第１実施形態の電気光学装置と一部共通している。異なるのは、形成したガスバリア層を覆って、このガスバリア層を保護する保護膜が形成されていることである。したがって、本実施形態において第１実施形態と共通する構成要素については同じ符号を付し、詳細な説明は省略する。
【００７３】
図４は、本実施形態の電気光学装置（液晶表示装置）５を示す概略断面図であり、第１実施形態の説明に用いた図２に対応するものである。図５および図６は、本実施形態の電気光学装置５の変形例を示す概略断面図である。
【００７４】
図４に示すように、本実施形態の液晶表示装置５は、樹脂層２８を覆って全面に形成されたガスバリア層３０を更に覆って、ガスバリア層３０の表面全面に平坦化膜３６が形成されている。平坦化膜３６は、ガスバリア層３０を覆いつつ基板本体２０の一端から他端に至るまで延在して形成されている。
【００７５】
以上のような構成の液晶表示装置（電気光学装置）５では、平坦化膜３６はバリア層２６の形成によって生じる凹凸を緩和するという本来の機能に加えて、樹脂層２８の端部を覆うガスバリア層３０を覆い、ガスバリア層３０を保護する保護膜としての役割を兼ね備える。例えば、樹脂層２８を樹脂材料で形成し、ガスバリア層３０を無機材料である酸化ケイ素で形成すると、両者は熱膨張率や表面硬度が異なる。そのため環境条件が変化すると、例えば熱膨張率の差により形成したガスバリア層３０が樹脂層２８からはがれたり、ひび割れが生じたりするおそれがある。また、製造や使用の過程における接触によりガスバリア層３０が破損することも考えられる。しかし本実施形態の構成によれば、ガスバリア層３０上に形成した平坦化膜３６により破損を防ぐことが出来るため、ガスバリア層３０の品質を維持することで品質低下を防ぎ、信頼性の高い電気光学装置５とすることができる。
【００７６】
ここで、前述の通り平坦化膜３６は樹脂材料で形成するため、平坦化膜３６の端部から平坦化膜３６を介して液晶層３４に外部環境のガスが浸透するということが考えられる。しかし、樹脂層２８の厚みが８０μｍであるのに対し、平坦化膜３６は約１μｍと膜厚が非常に薄い。そのため、樹脂層２８からのガスの浸透と比較するとガスの浸透にかかる平坦化膜３６の端部は非常狭いこと、またこの膜厚の差より樹脂層２８からのガスの浸透を防ぐことが品質を担保するために非常に重要であること、から平坦化膜３６を保護膜として用いガスバリア層３０の破損を防ぐことは電気光学装置５の品質維持に有効である。
【００７７】
また、本実施形態では、平坦化膜３６はガスバリア層３０を覆い樹脂層２８の全面に形成されていることとしている。平坦化膜３６が一体となって形成されるため、より強固にガスバリア層３０を保護することができる。また、ガスバリア層３０の形成においてパターニングが不要であるため平坦化膜３６の形成工程が簡素化できる。そのため、容易に高品質の電気光学装置５とすることが出来る。
【００７８】
なお、本実施形態においては、平坦化膜３６はガスバリア層３０の全面を覆って形成されていることとしているとしたが、少なくとも樹脂層２８の端面からシール材２４に接するに至るまでの面に形成されているガスバリア層３０を覆うように形成しておくこととしてもよい。
【００７９】
また本実施形態は、ガスバリア層３０を覆う保護膜を形成してガスバリア層３０の破損を防ぐという発明の趣旨から、幾つもの変形例が考えられる。以下、本実施形態の変形例について図５および図６を用いて説明する。図５および図６は変形例を示す断面図である。図においては、一方側（左側）の端部を省略している。
【００８０】
図５は、カラーフィルタ層３２を覆う第２平坦化膜５０を用いてガスバリア層３０を保護したものである。いずれの変形例においても第２平坦化膜５０は、ガスバリア層３０を覆って基板本体２０の端部にまで延在して形成されている。図５（ａ）から図５（ｃ）の各電器光学装置の違いは、カラーフィルタ層３２の備えるブラックマトリクス３２ｂが覆う領域の広さの違いである。
【００８１】
図５（ａ）に示す電気光学装置６では、ブラックマトリクス３２ｂは液晶層３４に平面的に重なる領域に配置されている。また、図５（ｂ）に示す電気光学装置７では、ブラックマトリクス３２ｂはシール材２４の下面にまで延在している。
【００８２】
更に、図５（ｃ）に示す電気光学装置８では、ブラックマトリクス３２ｂは樹脂層２８の端面に至るまで延在し形成されている。この例においては加えて、樹脂層２８の端面にまでブラックマトリクス３２ｂが形成されているため、ブラックマトリクス３２ｂによるガスバリア層３０の保護も期待できる。
【００８３】
図６は、ガスバリア層３０の全面に平坦化膜３６を形成し保護したうえに、更に第２平坦化膜５０を積層させガスバリア層３０の保護を行うこととしたものである。いずれの変形例においても平坦化膜３６は、ガスバリア層３０を覆って基板本体２０の端部にまで延在して形成されている。図６（ａ）と図６（ｂ）の電器光学装置の違いは、第２保護膜５０が覆う領域の広さの違いであり、図６（ｂ）から図６（ｄ）の各電気光学装置の違いは、ブラックマトリクス３２ｂが覆う領域の違いである。
【００８４】
図６(ａ)に示す電気光学装置９では、第２平坦化膜５０をシール材２４の下面に至るまで形成し保護を行っている。また、図６（ｂ）に示す電気光学装置１０では、第２平坦化膜５０が基板本体２０の端面に至るまで延在し形成されている。更に、図６(ｃ)に示す電気光学装置１１では、ブラックマトリクス３２ｂがシール材２４の下面に至るまで形成されている。そして、図６(ｄ)に示す電気光学装置１２では、ブラックマトリクス３２ｂは樹脂層２８の端面に至るまで延在し形成されている。
【００８５】
いずれの例においても、第２平坦化膜５０がガスバリア層３０を覆うことでガスバリア層３０の破損を防ぐ効果が期待でき表示性能の低下を防ぐことができるため、高品質の電気光学装置とすることができる。電気光学装置１２においては、樹脂層２８の端面にまでブラックマトリクス３２ｂが形成されているため、ブラックマトリクス３２ｂによるガスバリア層３０の保護も期待できる。
【００８６】
［電子機器］
次に、本発明の電気光学装置を備えた電子機器の実施形態について説明する。図７は、本発明にかかる電子機器の一例としてカーナビゲーションシステムを示した概略図である。図７（ａ）は斜視図を示し、（ｂ）は画像を視認できる仕組みを示す図である。図７（ａ）に示すように、カーナビゲーションシステム７００は画像表示部７０１を備えている。画像表示部７０１は、本発明の電気光学装置を備えて構成されている。
【００８７】
図７（ｂ）は、本例のカーナビゲーションシステム７００によって、運転者ＤＲと助手席乗員ＰＡとが、異なる画像を視認できる仕組みを説明する図である。図７（ｂ）が示すように、液晶表示部７０１からは、画像ＶＬ、ＶＲが異なる方向に向けて出力されており、運転者ＤＲは画像ＶＲのみが、画像Ｖ助手席乗員ＰＡには画像ＶＬのみが、それぞれ視認される。このようにして、例えば運転者ＤＲが地図等の画像を視認しつつ、同時に助手席乗員ＰＡが映画等の画像を視認することができる。
【００８８】
以上のような構成のカーナビゲーションシステム７００では、表示部に上述の本発明の電気光学装置を備えているので、表示品質が高く、かつ長寿命となる。
【００８９】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【図面の簡単な説明】
【００９０】
【図１】本発明の第１実施形態に係る電気光学装置の配線構造を示すブロック図である。
【図２】本発明の第１実施形態に係る電気光学装置を示す断面図である。
【図３】本発明の第１実施形態に係る電気光学装置の変形例を示す断面図である。
【図４】本発明の第２実施形態に係る電気光学装置を示す断面図である。
【図５】本発明の第２実施形態に係る電気光学装置の変形例を示す断面図である。
【図６】本発明の第２実施形態に係る電気光学装置の変形例を示す断面図である。
【図７】本発明の電子機器の一例を示す説明図である。
【図８】バリア層を用いた２視点表示装置の概略図である。
【符号の説明】
【００９１】
１〜１２…電気光学装置、２０…基板本体（基板）、２２…素子基板（基板）、２４…シール材、２６…バリア層、２８…樹脂層、３０…ガスバリア層、３２…カラーフィルタ層、３４…液晶層（電気光学材料層）、３６…平坦化膜（保護膜）、５０…第２平坦化膜（保護膜）、７００…カーナビゲーションシステム（電子機器）
【図１】
2009093058.tif 000003
【図２】
2009093058.tif 000004
【図３】
2009093058.tif 000005
【図４】
2009093058.tif 000006
【図５】
2009093058.tif 000007
【図６】
2009093058.tif 000008
【図７】
2009093058.tif 000009
【図８】
2009093058.tif 000010